(57)【要約】      （修正有）【課題】製品使用時に、使用者の肌への違和感、チクチク感等の不快感を解消することができる表示ラベル及びその製造に供される基布を提供する。【解決手段】表示ラベル１０の基布は、全体的に矩形状を呈し、その長手方向に延びる両側縁から所定の幅の基布をその他面（裏面）１８へ折り返した第１の折り返し部２０と、基布の前縁及び後縁から所定の長さの基布をその他面１８へ折り返した第２の折り返し部２４とを含む。各第１の折り返し部２０はその側縁付近の一部分が他面へ溶着される溶着部２２を含む。基布は、第１の折り返し部２０の各コーナー部２６は丸みを有する。【選択図】図１
2008276049.tif 000002
【特許請求の範囲】
【請求項１】
印刷が施される一面及び該一面とは反対の他面を有する矩形状の本体からなり、
該本体はその長手方向に沿って延びる、相対する両側縁のそれぞれを前記他面に折り返した折り返し部を含み、
各折り返し部は前記他面に接着されている、表示ラベル用基布。
【請求項２】
前記各折り返し部は丸みを持つコーナー部を有する、請求項１に記載の表示ラベル用基布。
【請求項３】
請求項１又は請求項２に記載の表示ラベル用基布の前記一面に印刷を施してなる、表示ラベル。
【発明の詳細な説明】
【技術分野】
【０００１】
本発明は、衣類や寝具のような繊維製品に付される表示ラベル及びその基布に関する。
【背景技術】
【０００２】
表示ラベルは、繊維製品の品質、材料、洗濯方法、製造者、及びその標識が付される。
【０００３】
従来、その表示ラベルには織りネームが主に使用され、前記製品に高級感を与えることから、製造者は好んで織りネームを使用する。
【０００４】
【特許文献１】特開２００２−３１７３１０号公報
【特許文献２】特開２００４−３３９６５９号公報
【０００５】
しかしながら、織りネームは、通常、形状維持のために樹脂加工等により表示ラベル自体が固く仕上げられており、製品の使用時にかかる表示ラベルが使用者の肌に触れると、使用者は違和感やチクチク感を受け、その不快感から、織りネームはその製造者に対する苦情の対象になっている。
【０００６】
また、織りネームは構造上、複数のヨコ糸が重なって織られる組織からなり、元々、柔軟性のない織物であり、全体として固い表示ラベルになり、その使用時には、上述の不快感は回避できないものである。
【０００７】
さらに、近年著しく進歩した織機によれば、織りネームは幅広の織物にタテ方向に複数個連続して織り込まれ、それらのネーム柄をタテ方向に溶断して複数の織りネームを製造する。このために、織りネームの両耳部（両端部）は熱溶解により固くなり、上述の不快感を助長していた。
【０００８】
また、織りネームと同様に、プリントネームは表示ラベルとして使用されている。かかるプリントネームの基布には、主として、ポリエステル、ナイロン、アセテートなどの素材からなるテープを熱溶解して製造される。
【０００９】
しかしながら、カットしたテープは熱溶着や超音波による溶着のためにカット部分は固化しており、上述の不快感を回避することはできない。
【発明の開示】
【発明が解決しようとする課題】
【００１０】
本発明の目的は、繊維製品の使用時に、使用者の肌への違和感、チクチク感等の不快感を解消することができる表示ラベル及びその製造に供される基布を提供することにある。
【課題を解決するための手段】
【００１１】
本発明の表示ラベル用基布は、印刷が施される一面及び該一面とは反対の他面を有する矩形状の本体からなり、該本体はその長手方向に沿って延びる、相対する両側縁のそれぞれを前記他面に折り返した折り返し部を含み、各折り返し部は前記他面に接着され、表示ラベルはこの基布の一面に印刷を施してなる。
【００１２】
前記表示ラベル用基布は丸みを持つコーナー部を有することができる。
【発明の効果】
【００１３】
本発明によれば、前記表示ラベル用基布の本体が、その長手方向に沿って延びる、相対する両側縁のそれぞれを前記他面に折り返した折り返し部を含むので、この各折り返し部が表示ラベルの前記一面の一部から形成されており、表示ラベル用基布は前記一面と同じ感触のある両コーナー部を持つことができ、これにより、両コーナー部に接触する使用者の肌に対して、違和感、チクチク感等の不快感を与えることを回避できる。
【００１４】
また、各折り返し部の各コーナー部が丸みを有するときは、コーナー部が角度をなすものと比べて、肌に対して、違和感、チクチク感等の不快感を与えることをさらに一層回避できる。
【発明を実施するための最良の形態】
【００１５】
図１を参照すると、本発明に係る表示ラベルが全体に符号１０で示されている。
【００１６】
表示ラベル１０は基布１２を含む。基布１２は、１枚の細長いシートから、又は２枚の細長いシートを重ねてなる本体を含む。表示ラベル１０は基布１２の一面（表面）１４（図２）に印刷表示１６を施したものからなる。印刷内容は、例えば衣類や寝具のような繊維製品の品質や使用方法、繊維製品の使用者を特定する氏名、バーコード等からなる。
【００１７】
表示ラベル１０は、全体的に矩形状を呈し、その長手方向に延びる両側縁から所定の幅の基布１２をその他面（裏面）１８へ折り返した第１の折り返し部２０と、基布１２の前縁及び後縁から所定の長さの基布１２をその他面（裏面）１８へ折り返した第２の折り返し部２４とを含む。また、各第１の折り返し部２０はその側縁付近の一部分が他面１６へ溶着される溶着部２２を含む。
【００１８】
第１の折り返し部２０はその各コーナー部２６が丸みをなす。第２の折り返し部２４は前記繊維製品への取り付け代を提供し、これにより、前記繊維製品の所定の位置に縫い付けることができる。他の取り付け方法として、第２の折り返し部２４に接着剤層、例えば感熱接着剤層を塗布し、これを加熱して繊維製品の所定位置に接着して取り付けることもできる。
【００１９】
丸みを有する（すなわち円弧状を呈する）コーナー部２６は、繊維製品に取り付けられていないことから、使用者の肌に当たる頻度が多いが、コーナー部２６は丸みを帯び、また基布１２の一面１４から連続しているので、肌に触れても違和感、チクチク感という不快感を与えない。
【００２０】
第２の折り返し部２４のコーナー部２８はコーナー部２６と同様に丸みをなすこともできるが、折り目を付することによって、繊維製品及び基布１２の一面１４間の境目をほぼ連続状態にして使用者の肌への抵抗感を軽減することができる。
【００２１】
溶着部２２は図示されるように、溶着により、基布１２の他面１８から一面１４へ浮き出している。また、溶着はレーザ溶着、超音波溶着を採用できる。さらに、溶着の代わりに、接着剤等を使用できる。
【００２２】
基布１２は例えばポリエステル製のタフタを基材とする。前記基材の一面には、これを前記印刷に適する平滑な面とするため、例えばウレタン樹脂が塗布されている。
【００２３】
本発明に係る表示ラベルの製造方法の一例を以下に説明する。
【００２４】
極細番毛（例えば、５０Ｄ）のタテ糸及びヨコ糸からなるサテン織物をテープ状に切断し、所定の長さに切断して基布１２（例えば、長さ８５ｍｍ、幅３６ｍｍ）を形成する。この基布１２の一面１４に表示を印刷し、その後、長手方向に延びる各端部から所定幅（例えば、３ｍｍ幅）を他面１８へ折り返して第１の折り返し部２０を形成し、その端部付近の第１の折り返し部２０の一部分（例えば、端部から１ｍｍの部分）を基布１２の他面１８に所定幅（例えば、１ｍｍ幅）で溶着する。次に、基布１２の前端部及び後端部から所定長（例えば、６ｍｍ）を他面１８へ折り返して第２の折り返し部２４を繊維製品への取り付け代のために形成する。
【図面の簡単な説明】
【００２５】
【図１】本発明に係る表示ラベルの底面斜視図である。
【図２】図１の表示ラベルの平面斜視図である。
【符号の説明】
【００２６】
１０  表示ラベル
１２  基布
１４  一面（表面）
１６  印刷表示
１８  他面（裏面）
２０  第１の折り返し部
２２  溶着部
２４  第２の折り返し部
２６、２８  コーナー部
【図１】
2008276049.tif 000003
【図２】
2008276049.tif 000004